(57)【要約】【課題】  従来の遊技機の回路筐体取付装置では、遊技機の稼動中の振動に伴って、台コネクタと筐コネクタとの電気接続端子同士が離れたり接触したりを繰り返すという現象が生じ、当該現象に伴って電気的なノイズが発生してしまう。【解決手段】  遊技盤４０の裏面４０ｂには取付台４６が設けられ、取付台の一対の側壁の後部には回路筐体（主制御装置筐体４８）を上下方向に案内する一対の台滑走係合部６０が設けられ、取付台の基板取付部には台コネクタ７４の実装されたコネクタ基板（主制御中継基板４９）が設けられるとともに筐体移動規制部材（爪１１５）が回転可能に設けられ、回路筐体の内部には筐コネクタ１２０の実装された制御基板（主制御基板４７）が設けられ、筐コネクタが回路筐体に対し台コネクタと接続可能に設けられ、回路筐体の外部には一対の筐滑走係合部１２２及び規制受部（係合孔部１２３）が設けられたことを特徴とする。【選択図】図１
2007020691.tif 000002
【特許請求の範囲】
【請求項１】
遊技盤の裏面には左右に相対峙する一対の側壁と一対の側壁の下部を互いに繋ぐ基板取付部とを備える取付台が設けられ、取付台の一対の側壁の後部には回路筐体を上下方向に案内する一対の台滑走係合部が設けられ、取付台の基板取付部には台コネクタの実装されたコネクタ基板が設けられるとともに筐体移動規制部材が回転可能に設けられ、回路筐体の内部には制御部品及び筐コネクタの実装された制御基板が設けられ、筐コネクタが回路筐体に対し台コネクタと接続可能に設けられ、回路筐体の外部には一対の筐滑走係合部及び規制受部が設けられ、筐滑走係合部が取付台の上部から台滑走係合部にはめ込まれて、回路筐体が下方に移動されるのに伴い、筐コネクタと台コネクタとが互いに機械的にはめ込まれて電気的に接続され、筐体移動規制部材が回転操作されるのに伴い規制受部に係合されることによって回路筐体の上方向への移動を規制して上記筐コネクタと台コネクタとの電気的な接続を支持したことを特徴とする遊技機の回路筐体取付装置。
【請求項２】
筐体移動規制部材と結合部材とを有した回転部材を備え、回転部材が回転操作されて筐体移動規制部材が規制受部に係合された状態において、結合部材と取付台とがねじにより結合されることによって上記筐体移動規制部材の規制受部に係合された状態が維持されたことを特徴とする請求項１に記載の遊技機の回路筐体取付装置。
【請求項３】
遊技盤の裏面には左右に相対峙する一対の側壁と一対の側壁の下部を互いに繋ぐ基板取付部とを備える取付台が設けられ、取付台の一対の側壁の後部には回路筐体を上下方向に案内する一対の台滑走係合部が設けられ、取付台の側壁の後部の上端側には筐体移動規制部材が設けられ、取付台の基板取付部には台コネクタの実装されたコネクタ基板が設けられ、回路筐体の内部には制御部品及び筐コネクタの実装された制御基板が設けられ、筐コネクタが回路筐体に対し台コネクタと接続可能に設けられ、回路筐体の外部には一対の筐滑走係合部が設けられ、筐体移動規制部材が台滑走係合部と筐滑走係合部との係合により取付台の一対の側壁の後部に取り付けられる回路筐体の前面より前方に弾性変形された状態で筐滑走係合部が取付台の上部から台滑走係合部にはめ込まれ、筐体移動規制部材が回路筐体の前面に接触した状態で回路筐体が下方に移動されるのに伴い、筐コネクタと台コネクタとが互いに機械的にはめ込まれて電気的に接続され、筐体移動規制部材が弾性により後方に復元して回路筐体の上面に係合することによって回路筐体の上方向への移動を規制して上記筐コネクタと台コネクタとの電気的な接続を支持したことを特徴とする遊技機の回路筐体取付装置。
【請求項４】
取付台の一対の側壁の後部には係合部材と結合部とを備えた回転部材が回転可能に設けられ、回路筐体の外部には係合受部が設けられ、回転部材が回転操作されるのに伴い係合部材と係合受部とが係合された状態において、結合部と取付台とがねじにより結合されることによって上記係合部材と係合受部とが係合された状態が維持されたことを特徴とする請求項３に記載の遊技機の回路筐体取付装置。
【請求項５】
回転部材が筐体押上部を備え、回転部材が上記回転操作の方向と逆方向に回転操作され、筐体移動規制部材が規制受部より離脱あるいは係合部材が係合受部より離脱するに伴って筐体押上部が回路筐体を上方に押し上げたことを特徴とする請求項２又は請求項４に記載の遊技機の回路筐体取付装置。
【請求項６】
コネクタ基板が、基板取付部に基板取付部の上面に沿った方向及び上下方向に移動可能に取付けられたことを特徴とする請求項１乃至請求項５のいずれかに記載の遊技機の回路筐体取付装置。
【発明の詳細な説明】
【技術分野】
【０００１】
本発明は、遊技機の稼動中の振動に伴って台コネクタと筐コネクタとの電気接続端子同士が離れたり接触したりを繰り返すような現象を防止可能な遊技機の回路筐体取付装置に関する。
【背景技術】
【０００２】
遊技機の回路筐体取付装置は、遊技機枠の裏面の取付台に設けた台コネクタと回路筐体に設けた筐コネクタとが互いに接続された状態において、解除レバーの操作により上記台コネクタと筐コネクタとの接続を解除するようにしている。しかしながら、台コネクタと回路筐体に設けた筐コネクタとが互いに接続された状態では、回路筐体が取付台に固定されておらず、上記台コネクタと筐コネクタとの嵌め合いによる接続によって回路筐体を取付台に支持した構造である。よって、遊技機の稼動中の振動に伴って、台コネクタと筐コネクタとの電気接続端子同士が離れたり接触したりを繰り返すという現象が生じ、当該現象に伴って電気的なノイズが発生してしまうという欠点がある。
【特許文献１】特許第３２４２０６２号公報
【発明の開示】
【発明が解決しようとする課題】
【０００３】
発明が解決しようとする問題点は、遊技機の回路筐体取付装置では、遊技機の稼動中の振動に伴って、台コネクタと筐コネクタとの電気接続端子同士が離れたり接触したりを繰り返すという現象が生じ、当該現象に伴って電気的なノイズが発生してしまうという点である。
【課題を解決するための手段】
【０００４】
本発明に係る遊技機の回路筐体取付装置は、遊技盤の裏面には左右に相対峙する一対の側壁と一対の側壁の下部を互いに繋ぐ基板取付部とを備える取付台が設けられ、取付台の一対の側壁の後部には回路筐体を上下方向に案内する一対の台滑走係合部が設けられ、取付台の基板取付部には台コネクタの実装されたコネクタ基板が設けられるとともに筐体移動規制部材が回転可能に設けられ、回路筐体の内部には制御部品及び筐コネクタの実装された制御基板が設けられ、筐コネクタが回路筐体に対し台コネクタと接続可能に設けられ、回路筐体の外部には一対の筐滑走係合部及び規制受部が設けられ、筐滑走係合部が取付台の上部から台滑走係合部にはめ込まれて、回路筐体が下方に移動されるのに伴い、筐コネクタと台コネクタとが互いに機械的にはめ込まれて電気的に接続され、筐体移動規制部材が回転操作されるのに伴い規制受部に係合されることによって回路筐体の上方向への移動を規制して上記筐コネクタと台コネクタとの電気的な接続を支持したことを特徴とする。筐体移動規制部材と結合部材とを有した回転部材を備え、回転部材が回転操作されて筐体移動規制部材が規制受部に係合された状態において、結合部材と取付台とがねじにより結合されることによって上記筐体移動規制部材の規制受部に係合された状態が維持されたことも特徴とする。本発明に係る別の遊技機の回路筐体取付装置は、遊技盤の裏面には左右に相対峙する一対の側壁と一対の側壁の下部を互いに繋ぐ基板取付部とを備える取付台が設けられ、取付台の一対の側壁の後部には回路筐体を上下方向に案内する一対の台滑走係合部が設けられ、取付台の側壁の後部の上端側には筐体移動規制部材が設けられ、取付台の基板取付部には台コネクタの実装されたコネクタ基板が設けられ、回路筐体の内部には制御部品及び筐コネクタの実装された制御基板が設けられ、筐コネクタが回路筐体に対し台コネクタと接続可能に設けられ、回路筐体の外部には一対の筐滑走係合部が設けられ、筐体移動規制部材が台滑走係合部と筐滑走係合部との係合により取付台の一対の側壁の後部に取り付けられる回路筐体の前面より前方に弾性変形された状態で筐滑走係合部が取付台の上部から台滑走係合部にはめ込まれ、筐体移動規制部材が回路筐体の前面に接触した状態で回路筐体が下方に移動されるのに伴い、筐コネクタと台コネクタとが互いに機械的にはめ込まれて電気的に接続され、筐体移動規制部材が弾性により後方に復元して回路筐体の上面に係合することによって回路筐体の上方向への移動を規制して上記筐コネクタと台コネクタとの電気的な接続を支持したことを特徴とする。取付台の一対の側壁の後部には係合部材と結合部とを備えた回転部材が回転可能に設けられ、回路筐体の外部には係合受部が設けられ、回転部材が回転操作されるのに伴い係合部材と係合受部とが係合された状態において、結合部と取付台とがねじにより結合されることによって上記係合部材と係合受部とが係合された状態が維持されたことも特徴とする。回転部材が筐体押上部を備え、回転部材が上記回転操作の方向と逆方向に回転操作され、筐体移動規制部材が規制受部より離脱あるいは係合部材が係合受部より離脱するに伴って筐体押上部が回路筐体を上方に押し上げたことや、コネクタ基板が、基板取付部に基板取付部の上面に沿った方向及び上下方向に移動可能に取付けられたことも特徴とする。
【発明の効果】
【０００５】
本発明に係る遊技機の回路筐体取付装置によれば、筐体移動規制部材と規制受部との係合や、筐体移動規制部材と回路筐体との係合によって、回路筐体の上方向への移動が阻止されるので、遊技機の稼動中の振動に伴って台コネクタと筐コネクタとの電気接続端子同士が離れたり接触したりを繰り返すような現象を防止でき、当該現象に伴う電気的なノイズの発生を防止できる。また、台滑走係合部と筐滑走係合部とを備えるので、筐コネクタと台コネクタとの接続を解除する際において、筐コネクタの電気接続端子と台コネクタの電気接続端子とに電気接続端子を折れ曲がらせるような外力が加わることを阻止できるので、電気接続端子の折れ曲がりを防止でき、筐コネクタや台コネクタの破損を防止できる。筐体移動規制部材と規制受部とが係合される構成と回転部材の結合部材と取付台とがねじにより結合されて筐体移動規制部材と規制受部との係合が維持された構成とによって、台コネクタと筐コネクタとの電気的な接続を支持するので、上記電気的なノイズの発生を防止する効果を高めることができる。また、ねじを緩めない限り筐体移動規制部材と規制受部との係合が解除されない構成としたので、制御基板のＲＯＭの不正な交換防止が図られる。回転部材の結合部材と取付台とがねじにより結合されて係合部材と係合受部との係合が維持された構成によって、制御基板のＲＯＭの不正な交換防止が図られる。回転部材が筐体押上部を備えたので、回路筐体の取付作業及び取外作業を容易とできる。コネクタ基板が、基板取付部に基板取付部の上面に沿った方向及び上下方向に移動可能に取付けられた構成により、台コネクタと筐コネクタとの接続の際に、筐コネクタと台コネクタとを互いに適切に接続でき、筐コネクタや台コネクタの電気接続端子の損傷を防止できる。
【発明を実施するための最良の形態】
【０００６】
最良の形態１
図１乃至図１５は、遊技機としてのパチンコ機の回路筐体取付装置１の最良の形態１を示す。図１は、回路筐体取付装置１を分解して示す。図２は、主制御中継基板４９と基板取付体６５とを分解して示す。図３は、図２の基板取付蓋６７のＡ−Ａ断面を示す。図４は、基板取付体６５と基板取付体６５に取付けられた主制御中継基板４９とを断面で示す。図５は、基板取付台６６に取付けられた回転部材５０を示す。図６は、基板取付台６６の回転中心体１０９と阻止体１１０との関係を示す。図７は、回転部材と基板取付台とが止ねじにより締結された状態を下から見て示す。図８は、主制御中継基板４９及び回転部材５０の取付けられた取付台４６を上方から見て示す。図９は、遊技盤４０の裏面４０ｂに取付けられた球案内体４５の裏面４５ｂに取付台４６が取付けられた状態を裏側から見て示す。図１０は、取付台４６への主制御装置筐体４８の取付方法を主制御装置筐体４８の裏側から見て示す。図１１は、取付台４６への主制御装置筐体４８の取付方法を主制御装置筐体４８の横側から見て示す。図１２は、取付台４６への主制御装置筐体４８の取り付け及び取り外しの際の爪１１５と係合孔部１２３との動きを示す。図１３は、パチンコ機の遊技機枠１Ａと遊技盤４０とを分離して示す。図１４は、主制御装置筐体４８の取付けられた遊技盤４０を裏側から見て示す。図１５は、パチンコ機の制御系統を示す。この明細書において、「前」、「後」、「裏」、「左」、「右」、「上」、「下」の方向は、図１３の状態に遊技機枠１Ａおよび遊技盤４０を置いて矢印Ａで示す前側から見た場合に特定される方向である。「後」と「裏」とは同じ方向である。
【０００７】
図１３を参照し、回路筐体取付装置１を備えたパチンコ機における遊技機枠１Ａと遊技盤４０との構造について説明する。遊技機枠１Ａは、固定枠２の前側に可動枠３を左側のヒンジ４で横方向に片開き可能に取り付け、可動枠３の前側に扉５および球皿構造体６を左側のヒンジ７で横方向に片開き可能に取り付けた構造である。固定枠２は、パチンコ店の図外の島と呼ばれる遊技機設置構造体に取り付けるための外枠とも呼ばれ、前後方向に貫通した縦長な長方形の空間を囲む額縁形状である。可動枠３は、遊技盤４０を取り付ける前枠とも呼ばれ、前後方向に貫通した縦長な長方形の空間を囲む額縁形状の可動枠本体８から盤収納構造体９を内部に延設する。可動枠本体８の右縦片部には、施錠装置１０と複数のロック機構１１；１２；１３およびロック解除操作体１４が設けられる。盤収納構造体９は、遊技盤４０を装着する前側に開口した盤収納室１５の背壁１６に前後方向に貫通する中央開口部１７を備える。背壁１６の左側部には、盤押圧体１８および盤受ストッパ１９が設けられる。背壁１６の右側部には、盤ロック機構２０が設けられる。盤ロック機構２０は、背壁１６から前側に突出する円筒状の台座の中心にロック操作体２１を回転可能に備える。ロック操作体２１は、台座から前側に突出した操作軸の端部に固定された横長な形態である。盤収納室１５の下縁部は、遊技盤４０を搭載する左右方向に平坦な面としての盤棚２２を形成する。盤棚２２から下方に延設された盤収納構造体９における前壁２３の前面には、球発射機構２４、球発射レール２５、ファール球取入口２６、払出球中継樋２７が設けられる。球発射レール２５は、球皿構造体６の球供給口３４から供給された１個の球を受け取る。球発射機構２４は、電力の供給と遮断とを交互に受けることによって、球皿部３１から球発射レール２５に供給された球を盤収納室１５に取り付けられた遊技盤４０の遊技領域４１に向けて１個ずつ発射する。球発射レール２５は、球発射機構２４から発射された球を、遊技盤４０における球発射通路４４の入口に誘導する。払出球中継樋２７は、可動枠３の裏側に設けられた図外の球払出装置から払い出された球を球皿構造体６の球取入口３３に排出する。前壁２３の裏面には機外排出樋２８が設けられる。機外排出樋２８は、遊技盤４０の裏側から排出された球を受け取って島と呼ばれる遊技機設置構造体における捕球機構に排出する。扉５は、パネル枠とも呼ばれ、前後方向に貫通する窓２９を囲む額縁形状である。扉５の裏面には、前面パネル３０が窓２９を覆うように扉５の裏側から取り付けられる。前面パネル３０は、ガラスまたは合成樹脂などの材料からなる光を透過する性質の有る板状である。球皿構造体６の前面には、球皿部３１および発射操作機構３２が設けられる。球皿部３１は、遊技に使用するパチンコ球と呼ばれる球を受ける容器であって、球を収容する部分を上方に開口した上方から下方に窪む窪みとして有する。発射操作機構３２は、遊技者が球を発射するために操作するものである。球皿構造体６の裏面には、球取入口３３および球供給口３４が設けられる。球取入口３３は、払出球中継樋２７から排出された球を球皿部３１に供給する部分である。球供給口３４は、球皿部３１から球発射機構２４に球を供給する部分である。遊技機枠１Ａの裏面には、電源装置２００、発射払出制御装置２０１、図外の球払出機構などが取付けられる。
【０００８】
遊技機枠１Ａでは、可動枠３や扉５および球皿構造体６が閉じられてロック機構１１乃至１３で開閉不能に支持された場合、遊技店の店員が図外のキープレート（鍵）を遊技機枠１Ａの前側から施錠装置１０の鍵穴３５に挿入し、当該キープレートを例えば右側に９０度回転操作すると、固定枠２と可動枠３とのロック機構１１による支持形態が解除される。この支持形態の解除後に、店員が可動枠３を前側に引くことによって、可動枠３はヒンジ４を回転中心として前側に片開きされる。また、上記施錠装置１０の鍵穴３５に挿入されたキープレートが例えば左側に９０度回転操作されると、可動枠３と扉５とのロック機構１２による支持形態が解除される。この支持形態の解除後に、店員が扉５を前側に引くことによって、扉５はヒンジ７を回転中心として前側に片開きされる。このように、扉５が前側に開かれた状態において、店員が可動枠３の前面に設けられたロック解除操作体１４を操作すると、可動枠３と球皿構造体６とのロック機構１３による支持形態が解除される。この支持形態の解除後に、店員が球皿構造体６を前側に引くことによって、球皿構造体６はヒンジ７を回転中心として前側に片開きされる。
【０００９】
遊技盤４０の前面４０ａには、内ガイドレール３５ａと外ガイドレール３５ｂとからなるガイドレールが設けられ、ガイドレールで囲まれた内側の遊技領域４１には、始動入賞部品３６、一般入賞部品３７、可変入賞部品３８、飾り部品３９、サイドランプ飾り４２、遊技釘４３ａ、風車４３ｂ、アウト口４３ｃを備える。飾り部品３９は、センター飾りとも呼ばれる。内ガイドレール３５ａの左側部と外ガイドレール３５ｂの左側部との間に形成された隙間は、球発射通路４４である。球発射通路４４は、球発射機構２４から発射された球を遊技領域４１に誘導する。遊技盤４０の右側部には、盤側取付部４４ａが、上下に位置して設けられる。盤側取付部４４ａは、ロック挿入孔４４ｂを個別に備える。
【００１０】
図１；図２を参照し、回路筐体取付装置１を説明する。回路筐体取付装置１は、遊技盤４０、取付基台としての球案内体４５、取付台４６、制御基板としての主制御基板４７を収納した回路筐体としての主制御装置筐体４８、取付台４６に取り付けられるコネクタ基板としての主制御中継基板４９及び回転部材５０を備える。遊技盤４０は、遊技盤４０の前面４０ａと裏面４０ｂとに貫通するように遊技盤４０に形成された表示飾り部品逃げ孔５１ａ、可変入賞部品逃げ孔５１ｂ、その他、図外の入賞部品逃げ孔を備える。球案内体４５はセット板とも呼ばれる。球案内体４５は、表示飾り部品逃げ孔５１ａ、可変入賞部品逃げ孔５１ｂに対応して球案内体４５の前面４５ａと裏面４５ｂとに貫通するように球案内体４５に形成された表示孔５２ａ、可変入賞配線孔５２ｂを備える。球案内体４５は、遊技領域４１から始動入賞部品３６、一般入賞部品３７、可変入賞部品３８、アウト口４３ｃのいずれかを経由して遊技盤４０の裏側に取り込まれた球を図外の球回収樋に排出する。球案内体４５の表示孔５２ａと遊技盤４０の表示飾り部品逃げ孔５１ａ、球案内体４５の可変入賞配線孔５２ｂと遊技盤４０の可変入賞部品逃げ孔５１ｂとが対応するように、球案内体４５が遊技盤４０の裏面４０ｂに止ねじ４５ｄにより取り付けられる。球案内体４５の裏面４５ｂには取付台４６が取り付けられる。可変入賞配線孔５２ｂの左右に相当する球案内体４５の裏面には、左右一対の取付孔５３；５３、左右一対の基台滑走係合部５４；５４が形成される。
【００１１】
取付台４６は、左右一対の側壁５５；５５、左右の筐体取付部５６；５６、基板取付部５７、左右の取付支柱５８；５８を備える。左右一対の側壁５５；５５は、左右に所定の間隔を隔てて相対峙する。左右の筐体取付部５６；５６は、一対の側壁５５；５５のそれぞれの後端部に左右別々に設けられる。筐体取付部５６は、相対峙する一方の側壁５５の後端より他方の側壁５５の方向に延長するとともに上下に延長する裏面５９と裏面５９に上下に延長して形成された台滑走係合部６０とを備える。つまり、取付台４６は相対峙する一対の側壁５５；５５の後端部の左右に左右一対の台滑走係合部６０：６０を備える。左右一対の側壁５５；５５の前端には、球案内体４５の左右一対の基台滑走係合部５４；５４に係合して上下に滑走可能な基台側滑走係合部６１；６１を備える。左右の取付支柱５８；５８は、左右の筐体取付部５６；５６の裏面５９；５９よりそれぞれ個別に前方に延長し、前端にねじ止部６２；６２を備える（図８参照）。左右の筐体取付部５６；５６の間は、所定の間隔を隔てて離れている。
【００１２】
基板取付部５７は、一対の側壁５５；５５の下部を互いに繋ぐとともに左右の筐体取付部５６；５６の間を経由して筐体取付部５６；５６よりも後方に突出する。基板取付部５７には、主制御中継基板４９、回転部材５０が取付けられる。基板取付部５７は、主制御中継基板４９を取り付けるための基板取付体６５を備える。基板取付体６５は、基板取付台６６、基板取付蓋６７を備える。
【００１３】
図２を参照し、基板取付体６５及び基板取付体６５による主制御中継基板４９の取付構造を説明する。基板取付体６５の基板取付台６６は、左右の筐体取付部５６；５６の間を経由して筐体取付部５６；５６の前側及び裏側に延長する横長の長方形状に形成される。基板取付台６６の後縁部の左右両側には、上方に隆起する基板設置座６８が形成される。基板設置座６８には、基板設置座６８の上面と下面とに貫通するように基板設置座６８に形成された基板取付蓋６７の取付用の貫通孔７０を備える。基板設置座６８の上面における貫通孔７０の回りは凹部７１に形成される。基板取付台６６の後縁部の左右両端には、上方に立上る左右一対の基板規制片７２；７２が設けられる。基板取付台６６の前縁端における左右の中央には、前縁端より前方に突出する取付支柱７３を備える。
【００１４】
主制御中継基板４９の後縁端側には後縁端に沿って台コネクタ７４が設けられる。台コネクタ７４は、主制御中継基板４９に接続部７４ａが上向きとなるよう実装される。主制御中継基板４９において台コネクタ７４の両端に対応した部分には、主制御中継基板４９の上面と下面とに貫通する貫通孔７５；７５が形成される。主制御中継基板４９の後部の左右幅ａは基板規制片７２；７２間の間隔ｃより短く形成され、基板規制片７２；７２間の間隔ｃは主制御中継基板４９の前部の左右幅ｂより短く形成される。つまり、ａ＜ｃ＜ｂである。主制御中継基板４９の上面における前縁端側には、この前縁端に沿って、右中継基板コネクタ７６、本体中継基板コネクタ７７、可変中継基板コネクタ７８、左中継基板コネクタ７９が実装されて設けられる。
【００１５】
基板取付蓋６７の後縁側の左右の下面には、下方に突出する一対の取付支柱８０；８０が設けられる。取付支柱８０には上下に貫通する取付孔８１（図４参照）が形成される。基板取付蓋６７の後縁側には台コネクタ７４を貫通させるコネクタ逃げ孔８２が形成される。基板取付蓋６７の前縁側には右中継基板コネクタ７６、枠中継基板コネクタ７７、可変中継基板コネクタ７８、左中継基板コネクタ７９を貫通させるコネクタ逃げ孔８３が形成される。基板取付蓋６７の前端には、前端より下方に突出する基板規制片８４を備える。図３に示すように、基板規制片８４の左右２箇所には、基板規制片８４の後面８５から後方に突出して基板取付蓋６７の蓋板８６と平行な基板挟持片８７が設けられる。基板挟持片８７の上部に位置する蓋板８６の部分は切欠部８８に形成される。蓋板８６と基板挟持片８７；８７とで基板挟持部８９が形成される。基板規制片８４の左右間の中央には固定部９０が設けられる。固定部９０は、基板規制片８４の後面８５より前側に窪む凹部９１と凹部９１の底面９１ａと基板規制片８４の前面とを貫通する貫通孔９２とにより形成される。凹部９１は上部が円弧状で下部開口の形状である。
【００１６】
図２に戻って、基板取付体６５による主制御中継基板４９の組付構造を説明する。主制御中継基板４９の前縁部を基板取付蓋６７の基板挟持部８９の後方側から基板挟持部８９に挟み込むとともに主制御中継基板４９の台コネクタ７４を基板取付蓋６７のコネクタ逃げ孔８２経由で基板取付蓋６７の上方に突出させ、かつ、基板取付蓋６７の取付支柱８０を貫通孔７５経由で基板取付蓋６７の下方に突出させる。このように組付けられた状態の取付支柱８０の下端が基板取付台６６の凹部７１内に嵌め込まれ、かつ、基板取付蓋６７の固定部９０の凹部９１内に凹部９１の下部開口を経由して基板取付台６６の取付支柱７３が嵌め込まれた状態において、止ねじ９５が、基板取付体６５の下面から貫通孔７０を経由して取付支柱８０の取付孔８１に締結されるとともに、止ねじ９７が、基板取付蓋６７の前面から貫通孔９２を経由して取付支柱７３の図外の取付孔に締結されることによって、基板取付台６６の上面側に主制御中継基板４９が設置される。
【００１７】
図４に示すように、取付支柱８０の突出長さｙが、基板設置座６８の上面６８ａと凹部７１の下面７１ａとの間の最短距離ｄと主制御中継基板４９の基板厚さｅとを足した長さより長い。つまり、ｙ＞ｄ＋ｅである。また、貫通孔７５の径ｎが取付支柱８０の径ｍよりも大きい。従って、主制御中継基板４９は、基板取付体６５に組付けられた状態において、基板取付台６６の上面に沿った方向及び上下方向に移動可能である。よって、台コネクタ７４と後述する筐コネクタ１２０との接続の際に、台コネクタ７４と筐コネクタ１２０とが位置ずれしていても台コネクタ７４の位置を調整でき、筐コネクタ１２０と台コネクタ７４とを互いに適切に接続できる。したがって、筐コネクタ１２０と台コネクタ７４の図外の電気接続端子に負担をかけることなく、筐コネクタ１２０の電気接続端子と台コネクタ７４の電気接続端子とを互いに接続できるので、電気接続端子の損傷を防止できる。
【００１８】
図２に戻って、回転部材５０の構造を説明する。回転部材５０は、左右一対の側壁部１０１；１０１、左右一対の側壁部１０１；１０１の後部を互いに繋ぐ後壁部１０２、左右一対の側壁部１０１；１０１の下部を互いに繋ぐ結合部としての下壁部１０３、左右一対の側壁部１０１；１０１より横に互いに離れる方向に張り出すように設けられた左右一対の筐体着脱操作部１０４；１０４を備える。下壁部１０３には複数の貫通孔１２５が設けられ、基板取付台６６の後縁側には複数の貫通孔１２５に対応する取付孔１２６が設けられる。左右一対の側壁部１０１；１０１の前部には、側壁部１０１；１０１の互いに向かい合う面から互いに離れる方向に窪み、前端が開口した凹部１０５が形成される。右の側壁部１０１の凹部１０５の開口の右横、左の側壁部１０１の凹部１０５の開口の左横には、それぞれ阻止体固定部１０６が設けられる。図５に示すように、阻止体固定部１０６は、阻止体１１０の着座する着座面１０７と着座面１０７に形成された取付孔１０８とを備える。基板取付台６６の左の基板規制片７２には、左の基板規制片７２より左方向に突出する回転中心体１０９が設けられ、基板取付台６６の右の基板規制片７２には、右の基盤規制片７２より右方向に突出する回転中心体１０９が設けられる。阻止体１１０はＬ字形状に形成され、阻止体固定部１０６に止ねじ１１１で締結されるねじ止め部１１２と凹部１０５の開口より凹部１０５内に入り込んで回転中心体１０９の凹部１０５からの脱落を阻止する阻止片１１３とを備える。左右一対の側壁部１０１；１０１の前端上部には筐体押上部１１４；１１４が形成される。筐体着脱操作部１０４には、筐体移動規制部材としての爪１１５と操作部１１６とが設けられる。
【００１９】
回転部材５０の取付構造を説明する。回転部材５０の左右の側壁部１０１；１０１の凹部１０５；１０５の開口を経由して回転中心体１０９；１０９が凹部１０５；１０５内に嵌め込まれ、阻止体１１０の阻止片１１３が凹部１０５の開口を経由して凹部１０５内に挿入された状態で阻止体固定部１０６に止ねじ１１１で締結されることによって、回転部材５０が回転中心体１０９；１０９を回転中心として回転可能な状態に基板取付台６６に取り付けられる。これにより、図６に示すように、回転部材５０は回転中心体１０９を回転中心として回転可能に形成される。
【００２０】
取付台４６の球案内体４５の裏面４５ｂへの取付方法を説明する。主制御中継基板４９が取付けられ、かつ、回転部材５０が回転可能に取付けられた取付台４６は、球案内体４５の裏面４５ｂに取付けられる。すなわち、図１に示すように、取付台４６の基台側滑走係合部６１；６１が球案内体４５の基台滑走係合部５４；５４の上部から基台滑走係合部５４；５４にはめ込まれて下方に移動され、取付台４６の取付支柱５８；５８のねじ止部６２；６２の貫通孔６２ａ（図８参照）を経由して取付孔５３に止ねじ１１８を締結することによって取付台４６が球案内体４５の裏面４５ｂに取付けられる（図９参照）。
【００２１】
図８に示すように、取付台４６の基板取付体６５に組付けられた主制御中継基板４９に実装されている右中継基板コネクタ７６、枠中継基板コネクタ７７、可変中継基板コネクタ７８、左中継基板コネクタ７９には、それぞれ個別に配線が接続される。図９に示すように、右中継基板コネクタ７６には、球案内体４５の裏面４５ｂに取付けられた右中継基板１５０に接続された配線１５１が接続される。枠中継基板コネクタ７７には、図外の枠中継基板に接続された配線１５２が接続される。可変中継基板コネクタ７８には可変入賞部品３８の裏側に設けられた可変中継基板１５３に接続された配線１５４が接続される。左中継基板コネクタ７９には球案内体４５の裏面４５ｂに取付けられた左中継基板１５５に接続された配線１５６が接続される。取付台４６が球案内体４５の裏面４５ｂに取付けられた状態において、取付台４６の左右一対の側壁５５；５５及び基板取付台６６は、遊技盤４０の裏面４０ｂと平行な面である球案内体４５の裏面４５ｂと直交する面を形成する。側壁５５は上下前後に延長する面を形成する。基板取付台６６は、前後左右に延長する面を形成する。可変入賞配線孔５２ｂの裏側に主制御中継基板４９が配置されるように取付台４６を球案内体４５の裏面４５ｂに取付けたことにより、主制御中継基板４９と可変中継基板１５３とを短い配線により接続でき、配線作業を容易とでき、配線の引き回しを少なくできる。また、取付台４６の左右一対の側壁５５；５５の間に主制御中継基板４９への配線作業空間が設けられるので主制御中継基板４９への配線作業を容易とできる。
【００２２】
図１に示すように、主制御装置筐体４８の内部には筐コネクタ１２０及び図外の制御部品の実装された主制御基板４７が収納されて主制御装置２０２が形成される。主制御装置筐体４８の下面４８ａにはコネクタ接続孔１１９が形成される。筐コネクタ１２０の接続部１２１が、コネクタ接続孔１１９を経由して主制御装置筐体４８の下面４８ａより下方に突出した状態、あるいは、コネクタ接続孔１１９に対応して主制御装置筐体４８内に位置され、台コネクタ７４の接続部７４ａと互いに接続可能に設けられる。つまり、筐コネクタ１２０が主制御装置筐体４８に対し台コネクタ７４と接続可能に設けられる。主制御装置筐体４８の両側面の前縁側には、台滑走係合部６０；６０に滑走係合する左右一対の筐滑走係合部１２２；１２２が設けられる。主制御装置筐体４８の下面４８ａには、筐体移動規制部材としての爪１１５；１１５に対応する規制受部としての係合孔部１２３；１２３が設けられる（図１０；図１１参照）。主制御装置筐体４８は、一度締結すると緩める方向に回転させてもねじによる締結状態を解除できない構造のねじ機構部１２４（図１４参照）により互いに締結された箱と蓋とにより形成されることによって、主制御基板４７のＲＯＭの不正な交換防止が図られている。
【００２３】
主制御装置筐体４８の取り付け方法を参照して説明する。図１０；１１に示すように、主制御装置筐体４８の筐滑走係合部１２２；１２２を球案内体４５の裏面４５ｂに取付けられた取付台４６の上部から台滑走係合部６０；６０にはめ込んで主制御装置筐体４８を下方に移動する（図１０、図１１のａ図及びｂ図参照）。主制御装置筐体４８が下方に移動されるのに伴い、主制御装置筐体４８の下面４８ａの前縁１２８が回転部材５０の筐体押上部１１４；１１４に接触して筐体押上部１１４；１１４を下方に移動させる。すると、回転部材５０は、回転中心体１０９を回転中心として回転するとともに筐コネクタ１２０と台コネクタ７４とが互いに機械的にはめ込まれて電気的に接続され、爪１１５が係合孔部１２３に係合することによって筐コネクタ１２０と台コネクタとの電気的な接続が支持される（（図１０、図１１のｂ図及びｃ図参照）。つまり、図１２のｃ図からｂ図、ｂ図からａ図のように、回転部材５０の爪１１５の内面１３０が係合孔部１２３の内面１３１上に移動し、回転部材５０がさらに回転することによって、爪１１５の内面１３０と係合孔部１２３の内面１３１とが互いに係合したことで、筐体移動規制部材としての爪１１５が主制御装置筐体４８の上方向への移動を規制して上記筐コネクタ１２０と台コネクタ７４との電気的な接続を支持した。
【００２４】
つまり、形態１では、回転中心体１０９を回転中心とする円の円弧面の一部を形成する爪１１５の内面１３０と係合孔部１２３の内面１３１とが回転中心体１０９を回転中心とする円の円周上で互いに接触して互いに係合することによって、主制御装置筐体４８が上下方向にがたつくことのないように取り付けられ、台コネクタ７４と筐コネクタ１２０との電気的な接続が支持された構成である。よって、パチンコ機の稼動中の振動に伴って台コネクタ７４と筐コネクタ１２０との電気接続端子同士が離れたり接触したりを繰り返すような現象を防止でき、当該現象に伴う電気的なノイズの発生を防止できる。また、回転部材５０が、主制御装置筐体４８の下面４８ａの前縁１２８に接触して下方に移動して爪１１５を係合孔部１２３に係合させる筐体押上部１１４を備えるので、主制御装置筐体４８の取付作業が容易となる。
【００２５】
そして、回転部材５０の下壁部１０３に設けられた複数の貫通孔１２５を経由して基板取付台６６の後縁側に形成された取付孔１２６に止ねじ１２７が締結されることによって、回転部材５０の結合部材としての下壁部１０３と基板取付台６６とが止ねじ１２７により互いに固定され、止ねじ１２７を緩めない限り回転部材５０の爪１１５と主制御装置筐体４８の係合孔部１２３との接触係合状態が解除されない。そして、図１４に示すように、演出制御ユニット１４０を表示孔５２ａに対応させて球案内体４５の裏面４５ｂに取付係合部１４１及び取付具１４２によって取り付け、主制御基板４７と演出制御ユニット１４０内に収納された図外の演出制御基板１４４を配線１４３によって互いに接続する。図１４の遊技盤４０を可動枠３の盤収納構造体９に取付ける。回転部材５０と基板取付台６６とが止ねじ１２７により互いに結合された図１４に示す状態の遊技盤４０が可動枠３の盤収納構造体９に取付けられた状態においては、回転部材５０と基板取付台６６とが止ねじ１２７により締結されている部分の下に位置する可動枠５の裏面に電源装置２００や発射払出制御装置２０１が取り付けられることから、不正者が止ねじ１２７を発見しにくく、不正者が主制御装置筐体４８を取り外すことによる主制御基板４７のＲＯＭの不正な交換防止が図られる。また、下壁部１０３と基板取付台６６とが止ねじ１２７により結合されることによって上記爪１１５の係合孔部１２３に係合された状態が維持されたことで、台コネクタ７４と筐コネクタ１２０との電気的な接続が支持される。つまり、爪１１５の内面１３０と係合孔部１２３の内面１３１とが係合された構成と回転部材５０と基板取付台６６とが止ねじ１２７により締結された構成との２つの構成によって、台コネクタ７４と筐コネクタ１２０との電気的な接続を支持したので、パチンコ機の稼動中の振動に伴って台コネクタ７４と筐コネクタ１２０との電気接続端子同士が離れたり接触したりを繰り返すような現象を防止でき、当該現象に伴う電気的なノイズの発生を防止する効果をさらに高めることができる。
【００２６】
前面４０ａおよび裏面４０ｂに部品を搭載した図１３；１４に示す遊技盤４０は、遊技機枠１Ａに次のように装着される。図１３のように、扉５が可動枠３の前側に開けられた状態において、遊技盤４０の前面が前側に向けられ、遊技盤４０の裏側が遊技機枠１Ａの方向に向けられ、遊技盤４０が可動枠３の前側から盤収納室１５に挿入され、遊技盤４０の下部が盤棚２２の上に載せられ、遊技盤４０の左側部が盤押圧体１８と盤受ストッパ１９との間に挿入され、遊技盤４０の左側部が盤押圧体１８で前側に押されつつ盤押圧体１８と盤受ストッパ１９とで前後方向から挟まれた後、遊技盤４０の右側部が作業者によって後側に押されると、盤ロック機構２０のロック操作体２１が盤側取付部４４ａのロック挿入孔４４ｂに後側から挿入されて前側に突出する。その状態において、作業者がロック操作体２１を例えば左方向に９０度回転操作すると、ロック操作体２１がロック挿入孔４４ｂの周りにおける盤側取付部４４ａと係合し、遊技盤４０が可動枠３に取り付けられる。このように遊技盤４０が可動枠３に取り付けられた場合、遊技盤４０の裏面における球案内体４５と演出制御ユニット１４０と取付台４６および主制御装置２０２が、中央開口部１７を経由して盤収納構造体９より裏側に突出する。
【００２７】
主制御装置筐体４８の取り外し方法を説明する。まず、遊技盤４０を遊技機枠１Ａから取り外し、図１４の状態の遊技盤４０から配線１４３を取り外し、演出制御ユニット１４０を球案内体４５の裏面４５ｂより取り外し、回転部材５０の下壁部１０３と基板取付台６６とを締結している止ねじ１２７を外す。そして、図１２のａ図の状態から回転部材５０の操作部１１６を上から下方に押すと、爪１１５が係合孔部１２３より解除される方向に回転し、図１２のｂ図のように、爪１１５が係合孔部１２３より解除されるのに伴い、筐体押上部１１４が主制御装置筐体４８の下面４８ａにおける前縁１２８に接触し、図１２のｃ図のように、回転部材５０がさらに回転することで、筐体押上部１１４が主制御装置筐体４８を上方に押し上げ、台滑走係合部６０と筐滑走係合部１２２との滑走係合により主制御装置筐体４８が上方に移動し、台滑走係合部６０と筐滑走係合部１２２との滑走係合が解除されることで主制御装置筐体４８を取付台４６より取り外すことができる。よって、主制御装置筐体４８の取り外し作業が容易である。また、台滑走係合部６０と筐滑走係合部１２２との滑走係合により、台コネクタ７４と筐コネクタ１２０との電気的な接続を構成する電気接続端子同士の嵌め合い量が減少する過程において、例えば主制御装置筐体４８に滑走係合の方向と直交する方向の外力が加わることを防止できて、台コネクタ７４や筐コネクタ１２０の破損を防止できる。
【００２８】
パチンコ機は、図外の電源スイッチの投入により、電源装置２００から図外の電力供給配線を経由して、発射払出制御装置２０１、主制御装置２０２、演出制御ユニット１４０、その他の電気部品に電力が供給される。即ち、島と呼ばれる遊技機設置構造体の電源設備からの商用電源を図外の電源コネクタを経由して電源装置２００に入力し、電源装置２００がパチンコ機に搭載された電気部品の駆動に必要な複数の電力を生成して電気部品に供給する。主制御基板４７が電源スイッチのオン動作に伴う電力供給で起動し、球が球皿３１に入っている状態において、遊技者が発射操作機構３２を操作すると、発射払出制御装置２０１が発射機構２４を発射操作機構３２から出力された操作量に応じた発射力で例えば１分間に１か１００発未満までの所定数の間隔で駆動し、発射機構２４が球を１個ずつ遊技盤４０の発射通路４４に向けて発射する。発射通路４４に発射された球が、発射通路４４から遊技領域４１に入った球が遊技領域４１を流下する過程において、いずれかの入賞部品に入賞したならば、その入賞部品の球検出器から入賞検出信号が主制御基板４７に出力される。
【００２９】
図１５を参照し、パチンコ機の制御系統を説明する。図１３に示す始動入賞部品３６、一般入賞部品３７、可変入賞部品３８に入賞した球を検出する図外の球検出器のような入力機器２１０からの入力信号が図９に示す左中継基板１５５、右中継基板１５０、主制御中継基板４９を経由して図１４に示す主制御基板４７に出力されると、主制御基板４７は配線１４３を経由して演出制御基板１４４に演出制御指示信号を出力する。演出制御基板１４４は演出制御指示信号を入力した場合に、出力機器１８２である演出制御ユニット１４０内に設けられて飾り部品３９の裏側に配置される図外の表示装置、遊技領域４１に設けられた始動入賞部品３６、可変入賞部品３８、サイドランプ飾り４２などを個別に遊技盤４０の裏側から照明する図外の光源、遊技機枠１Ａに設けられた図外のスピーカやランプのような出力機器２１１を制御する。
【００３０】
最良の形態２
図１６、図１７は、遊技機としてのパチンコ機の回路筐体取付装置１の最良の形態２を示す。図１６は、回路筐体取付装置１を示す。図１７は、主制御装置筐体４８が取付けられた遊技盤４０の裏側を示す。
【００３１】
最良の形態２の回路筐体取付装置１では、図１６に示すように、係合部材としての爪１６０が係合受部としての係合孔部１６１内に挿入された状態で、爪１６０と係合孔部１６１の底内面１６２とが接触しないように設定された構成と、主制御装置筐体４８が取付台４６に取付けられた状態において主制御装置筐体４８の上面４８ｂを押さえる筐体移動規制部材としての弾性フック１６５が、取付台４６の側壁５５の後部の上端側に相当する筐体取付面５９の上端から後方に突出するよう設けられた構成とを備える。
【００３２】
主制御装置筐体４８の取り付け方法を説明する。図１６の想像線で示すように、指などで弾性フック１６５を前側に撓ませた状態で、主制御装置筐体４８の筐滑走係合部１２２を取付台４６の上部から台滑走係合部６０にはめ込んで主制御装置筐体４８を下方に移動する。即ち、弾性フック１６５が台滑走係合部６０と筐滑走係合部１２２との係合により取付台４６の一対の側壁５５；５５の後部に取り付けられる主制御装置筐体４８の前面４８ｙより前方に弾性変形された状態で筐滑走係合部１２２；１２２が取付台４６の上部から台滑走係合部６０；６０にはめ込まれ、主制御装置筐体４８が下方に移動されるのに伴い、主制御装置筐体４８の下面４８ａの前縁１２８が回転部材５０の筐体押上部１１４に接触して筐体押上部１１４を下方に移動させる。すると、回転部材５０は、回転中心体１０９を回転中心として回転し、後部側が上方に移動する方向に回転することで回転部材５０の係合部材としての爪１６０が係合受部としての係合孔部１６１内に挿入されるとともに弾性フック１６５が主制御装置筐体４８の前面４８ｙをスライドして前面４８ｙの上端を乗り越えて復元することによって主制御装置筐体４８の上面４８ａを押さえる筐体移動規制部材として機能し、これにより、台コネクタ７４と筐コネクタ１２０との電気的な接続が支持されるとともに主制御装置筐体４８の上方への移動が阻止される。よって、最良の形態１と同様に、パチンコ機の稼動中の振動に伴って台コネクタ７４と筐コネクタ１２０との電気接続端子同士が離れたり接触したりを繰り返すような現象を防止でき、当該現象に伴う電気的なノイズの発生を防止する効果を高めることができるとともに台コネクタ７４や筐コネクタ１２０の破損を防止できる。
【００３３】
そして、図示しないが、最良の形態１と同じように、回転部材５０の下壁部１０３に設けられた複数の貫通孔１２５を経由して基板取付台６６の後縁側に形成された取付孔１２６に止ねじ１２７が締結されることによって、回転部材５０と基板取付台６６とが止ねじ１２７により互いに固定されて、回転部材５０の爪１６０と主制御装置筐体４８の係合孔部１６１との係合が維持され、止ねじ１２７を緩めない限り爪１６０と係合孔部１６１との係合状態が解除されない。よって、最良の形態１と同様に、不正者が主制御装置筐体４８を取り外すことによる主制御基板４７のＲＯＭの不正な交換防止が図られる。
【００３４】
主制御装置筐体４８の取り外し方法を説明する。まず、遊技盤４０を遊技機枠１Ａから取り外し、図１４の状態の遊技盤４０から配線１４３を取り外し、演出制御ユニット置１４０を球案内体４５の裏面４５ｂより取り外し、回転部材５０と基板取付台６６とを締結している止ねじ１２７を外す。そして、弾性フック１６５を図１６の想像線のように前側に押し込んで弾性フック１６５と主制御装置筐体４８の上面４８ａとの係合を解除させた状態で、回転部材５０の操作部１１６が上から下方に押されると、爪１６０が係合孔部１２３より解除される方向に回転し、爪１６０が係合孔部１６１より解除されるのに伴い、筐体押上部１１４が主制御装置筐体４８の下面４８ａにおける前縁１２８に接触し、回転部材５０がさらに回転することで、筐体押上部１１４が主制御装置筐体４８を上方に押し上げる。よって、主制御装置筐体４８の取り外し作業が容易である。また、台滑走係合部６０と筐滑走係合部１２２との滑走係合により、台コネクタ７４と筐コネクタ１２０との電気的な接続を構成する電気接続端子同士の嵌め合い量が減少する過程において、例えば主制御装置筐体４８に滑走係合の方向と直交する方向の外力が加わることを防止できて、台コネクタ７４や筐コネクタ１２０の破損を防止できる。
【産業上の利用可能性】
【００３５】
最良の形態１においては、回転部材５０が、爪１１５のような筐体移動規制部と係合孔部１２３のような規制受部を有しておればよく、筐体押上部１１４の構成、回転部材５０の下壁部１０３と基板取付台６６とを止ねじ１２７で結合する構成を備えていなくともよいが、筐体押上部１１４の構成を備えることで、取付台４６に対する主制御装置筐体４８の着脱作業を容易とでき、下壁部１０３と基板取付台６６とを止ねじ１２７で結合する構成を備えることで、主制御基板４７のＲＯＭの不正な交換防止が図られる。最良の形態２においては、回転部材５０を備えていなくともよいが、回転部材５０を備え、筐体押上部１１４の構成、回転部材５０の下壁部１０３と基板取付台６６とを止ねじ１２７で結合する構成を備えることで、取付台４６に対する主制御装置筐体４８の着脱作業を容易とでき、主制御基板４７のＲＯＭの不正な交換防止が図られる。上記では、取付台４６を取付基台としての球案内体４５の裏面４５ｂに取り付けたが、取付台４６を遊技盤４０の裏面４０ｂに直接取り付けるようにしてもよい。取付台４６を遊技盤４０の裏面４０ｂに直接取り付ければ、遊技盤の裏面における部品の突出量を抑えることができ、パチンコ機の設置スペースを小さくできる。取付台４６を取付基台としての球案内体４５の裏面４５ｂに取り付ければ、球案内体４５は、遊技領域４１から始動入賞部品３６、一般入賞部品３７、可変入賞部品３８、アウト口４３ｃのいずれかを経由して遊技盤４０の裏側に取り込まれた球を球案内体４５により図外の球回収樋に排出できるので、球を回収樋に排出する球通路部材の設置を不要とでき、遊技盤４０の裏側の構成を簡単にできる。
【図面の簡単な説明】
【００３６】
【図１】回路筐体取付装置の分解斜視図（最良の形態１）。
【図２】主制御中継基板と基板取付体とを示す分解斜視図（最良の形態１）。
【図３】図２の基板取付蓋のＡ−Ａ断面図（最良の形態１）。
【図４】主制御中継基板の取付構造を示す断面図（最良の形態１）。
【図５】基板取付台に取付けられた回転部材を示す図（最良の形態１）。
【図６】回転中心体と阻止体との関係を示す図（最良の形態１）。
【図７】回転部材の下壁部と基板取付台とが止ねじにより締結された状態を下から見た図（最良の形態１）。
【図８】主制御中継基板及び回転部材の取付けられた取付台を上方から見た図（最良の形態１）。
【図９】遊技盤の裏面に取付けられた球案内体の裏面に取付台が取付けられた状態を裏側から見た図（最良の形態１）。
【図１０】取付台への主制御装置筐体の取付方法を主制御装置筐体の裏側から見て示す図（最良の形態１）。
【図１１】取付台への主制御装置筐体の取付方法を主制御装置筐体の横側から見て示す図（最良の形態１）。
【図１２】取付台への主制御装置筐体の取り付け及び取り外しの際の爪と係合孔部との動きを示す図（最良の形態１）。
【図１３】パチンコ機の遊技機枠と遊技盤とを分離して示す図（最良の形態１）。
【図１４】主制御装置筐体の取り付けられた遊技盤を裏側から見て示す図（最良の形態１）。
【図１５】パチンコ機の制御系統を示す図（最良の形態１）。
【図１６】回路筐体取付装置を示す図（最良の形態２）。
【図１７】主制御装置筐体の取付けられた遊技盤の裏側を示す図（最良の形態２）。
【符号の説明】
【００３７】
１  回路筐体取付装置、４０  遊技盤、４５  球案内体、４６  取付台、
４７  主制御基板（制御基板）、４８  主制御装置筐体（回路筐体）、
４９  主制御中継基板（コネクタ基板）、５０  回転部材、５５  側壁、
５７  基板取付部、６０  台滑走係合部、７４  台コネクタ、
１０３  下壁部（結合部）、１１４  筐体押上部、爪  １１５（筐体移動規制部材）、
１２０  筐コネクタ、１２２  筐滑走係合部、１２３  係合孔部（規制受部）、
１２７  止ねじ１６０  爪（係合部材）、１６１  係合孔部（係合受部）、
１６５  弾性フック（筐体移動規制部材）。
【図１】
2007020691.tif 000003
【図２】
2007020691.tif 000004
【図３】
2007020691.tif 000005
【図４】
2007020691.tif 000006
【図５】
2007020691.tif 000007
【図６】
2007020691.tif 000008
【図７】
2007020691.tif 000009
【図８】
2007020691.tif 000010
【図９】
2007020691.tif 000011
【図１０】
2007020691.tif 000012
【図１１】
2007020691.tif 000013
【図１２】
2007020691.tif 000014
【図１３】
2007020691.tif 000015
【図１４】
2007020691.tif 000016
【図１５】
2007020691.tif 000017
【図１６】
2007020691.tif 000018
【図１７】
2007020691.tif 000019